(57)【要約】      （修正有）【課題】スクリーンを波打つことなく皺もなく表面平坦性に優れた平面状に張設することができ、使用しない時にコンパクトに収納できるスクリーン装置を提供する。【解決手段】本考案のスクリーン装置１は、収納ケース２と、該ケースに対し回動自在に取り付けられたロールと、前記ロールに下辺が固定され、該ロールにロール状に巻き取られている収納状態から使用時に引き出されて張設されるスクリーン４と、前記スクリーンの上辺４ｃに固定された棒状体５と、使用時において前記スクリーン４の後側に配置される、スクリーン支持用の支柱体６と、を備え、棒状体５は、支柱体６の上端部に着脱自在に係止し得るものとなされ、収納ケースの長さ方向の中間部と、支柱体６の長さ方向の一部とが、連結部３０を介して連結されると共に、収納ケース２は、支柱体６に対して平行な状態から垂直な状態への回転移動を可逆的に行い得るように構成されている。【選択図】図２
0003183132.tif 000002
【実用新案登録請求の範囲】
【請求項１】
収納ケースと、
前記収納ケースに対し回動自在に取り付けられたロールと、
前記ロールに下辺が固定され、該ロールにロール状に巻き取られている収納状態から使用時に引き出されて張設されるスクリーンと、
前記スクリーンの上辺に固定された棒状体と、
使用時において前記スクリーンの後側に配置される、スクリーン支持用の支柱体と、
前記スクリーンの左側辺から延設された左側接続用突片であって、相互に離間して配置された複数の左側接続用突片と、
前記スクリーンの右側辺から延設された右側接続用突片であって、相互に離間して配置された複数の右側接続用突片と、
一端が前記棒状体の左側端部に連結され、他端が前記ロールの左側端部に連結された左側線状体と、
一端が前記棒状体の右側端部に連結され、他端が前記ロールの右側端部に連結された右側線状体と、を備え、
前記棒状体は、前記支柱体の上端部に対し着脱自在に係止し得るものとなされ、
前記収納ケースの長さ方向の中間部と、前記支柱体の長さ方向の一部とが、連結部を介して連結されると共に、前記収納ケースは、前記支柱体に対して平行な状態から垂直な状態への回転移動を可逆的に行い得るように構成され、
前記左側線状体は、前記複数の左側接続用突片の先端部を介して前記スクリーンの左側辺と接続され、前記右側線状体は、前記複数の右側接続用突片の先端部を介して前記スクリーンの右側辺と接続されていることを特徴とするスクリーン装置。
【請求項２】
使用時に前記スクリーンが張設された状態において、前記左側線状体は、棒状体側からロール側に向けて中間部において内方側に膨らむ略曲線状に張設されると共に、前記右側線状体は、棒状体側からロール側に向けて中間部において内方側に膨らむ略曲線状に張設されるように構成されている請求項１に記載のスクリーン装置。
【請求項３】
前記複数の左側接続用突片のうち、前記スクリーンの左側辺の長さの二等分位置に存在する又は該二等分位置に最も近い左側接続用突片の長さが最も短く設定され、
前記左側接続用突片の長さは、前記長さが最短の左側接続用突片からの離間距離が大きくなるにつれて漸次大きくなるように構成され、
前記複数の右側接続用突片のうち、前記スクリーンの右側辺の長さの二等分位置に存在する又は該二等分位置に最も近い右側接続用突片の長さが最も短く設定され、
前記右側接続用突片の長さは、前記長さが最短の右側接続用突片からの離間距離が大きくなるにつれて漸次大きくなるように構成されている請求項１または２に記載のスクリーン装置。
【請求項４】
前記連結部を前記支柱体に固定するロック部をさらに備え、前記ロック部による前記支柱体に対する前記連結部の固定状態を解除することにより、前記支柱体に対する前記収納ケースの取付位置を該支柱体の長さ方向に沿って移動し得るように構成されている請求項１〜３のいずれか１項に記載のスクリーン装置。
【考案の詳細な説明】
【技術分野】
【０００１】
本考案は、企業やオフィス、あるいは地域や家庭などで使用されるスライド映写機、フィルム映写機、ビデオ映写機、液晶プロジェクタ、ＯＨＰなどの各種映写機器の映像を映写するために用いられるスクリーンを備えたスクリーン装置に関する。
【０００２】
なお、本明細書において、スクリーンについて「下辺」の語は、使用時の張設された状態のスクリーンの下辺に相当する辺を意味し、スクリーンについて「上辺」の語は、使用時の張設された状態のスクリーンの上辺に相当する辺を意味し、スクリーンについて「左側辺」の語は、使用時の張設された状態のスクリーンを正面視した際の左側辺に相当する辺を意味し、スクリーンについて「右側辺」の語は、使用時の張設された状態のスクリーンを正面視した際の右側辺に相当する辺を意味するものである。
【０００３】
また、本明細書において、「左側」の語は、使用時の張設された状態のスクリーンを正面視した際の「左側」に相当する側方を意味し、「右側」の語は、使用時の張設された状態のスクリーンを正面視した際の「右側」に相当する側方を意味するものである。
【０００４】
また、本明細書において、「正面」の語は、使用時の張設された状態のスクリーンの映像が映写される面を意味する。
【背景技術】
【０００５】
この種のスクリーン装置としては、スクリーンがロール状に巻かれてケース内に収納されると共に、使用時等にスクリーンを引き出して平面状に張設することができるように構成されたものが公知である（特許文献１参照）。
【０００６】
このようなスクリーン装置を用いれば、ロール状に巻き取られているスクリーンの一端を引いてスクリーンをケースから引き出していく操作を行うだけで容易にスクリーンを平面状に張設することができる。
【先行技術文献】
【特許文献】
【０００７】
【特許文献１】特許２９９９４２４号公報
【考案の概要】
【考案が解決しようとする課題】
【０００８】
しかしながら、上記従来のスクリーン装置では、未使用時にはスクリーンがロール状に巻き取られた状態で保管されているので、使用時にスクリーンを引き出して平面状に張設した際に、いわゆる巻きグセ等により、張設されたスクリーンは十分にフラットな状態になり難いという問題があった。例えば、スクリーンの表面に波打ち現象が生じたり、或いは部分的に皺が生じたりする等の問題があった。このように波打ち現象や皺が生じていると、スクリーンに映写される映像に歪みが生じたり、映像に鮮明でないぼやけた箇所が生じる等、高品質な映像が得られない。
【０００９】
本考案は、かかる技術的背景に鑑みてなされたものであって、スクリーンを波打つことなく皺もなく表面平坦性に優れた平面状に張設することができると共に、使用しない時にコンパクトに収納することができるスクリーン装置を提供することを目的とする。
【課題を解決するための手段】
【００１０】
前記目的を達成するために、本考案は以下の手段を提供する。
【００１１】
［１］収納ケースと、
前記収納ケースに対し回動自在に取り付けられたロールと、
前記ロールに下辺が固定され、該ロールにロール状に巻き取られている収納状態から使用時に引き出されて張設されるスクリーンと、
前記スクリーンの上辺に固定された棒状体と、
使用時において前記スクリーンの後側に配置される、スクリーン支持用の支柱体と、
前記スクリーンの左側辺から延設された左側接続用突片であって、相互に離間して配置された複数の左側接続用突片と、
前記スクリーンの右側辺から延設された右側接続用突片であって、相互に離間して配置された複数の右側接続用突片と、
一端が前記棒状体の左側端部に連結され、他端が前記ロールの左側端部に連結された左側線状体と、
一端が前記棒状体の右側端部に連結され、他端が前記ロールの右側端部に連結された右側線状体と、を備え、
前記棒状体は、前記支柱体の上端部に対し着脱自在に係止し得るものとなされ、
前記収納ケースの長さ方向の中間部と、前記支柱体の長さ方向の一部とが、連結部を介して連結されると共に、前記収納ケースは、前記支柱体に対して平行な状態から垂直な状態への回転移動を可逆的に行い得るように構成され、
前記左側線状体は、前記複数の左側接続用突片の先端部を介して前記スクリーンの左側辺と接続され、前記右側線状体は、前記複数の右側接続用突片の先端部を介して前記スクリーンの右側辺と接続されていることを特徴とするスクリーン装置。
【００１２】
［２］使用時に前記スクリーンが張設された状態において、前記左側線状体は、棒状体側からロール側に向けて中間部において内方側に膨らむ（凸になる）略曲線状に張設されると共に、前記右側線状体は、棒状体側からロール側に向けて中間部において内方側に膨らむ（凸になる）略曲線状に張設されるように構成されている前項１に記載のスクリーン装置。
【００１３】
［３］前記複数の左側接続用突片のうち、前記スクリーンの左側辺の長さの二等分位置に存在する又は該二等分位置に最も近い左側接続用突片の長さが最も短く設定され、
前記左側接続用突片の長さは、前記長さが最短の左側接続用突片からの離間距離が大きくなるにつれて漸次大きくなるように構成され、
前記複数の右側接続用突片のうち、前記スクリーンの右側辺の長さの二等分位置に存在する又は該二等分位置に最も近い右側接続用突片の長さが最も短く設定され、
前記右側接続用突片の長さは、前記長さが最短の右側接続用突片からの離間距離が大きくなるにつれて漸次大きくなるように構成されている前項１または２に記載のスクリーン装置。
【００１４】
［４］前記連結部を前記支柱体に固定するロック部をさらに備え、前記ロック部による前記支柱体に対する前記連結部の固定状態を解除することにより、前記支柱体に対する前記収納ケースの取付位置を該支柱体の長さ方向に沿って移動し得るように構成されている前項１〜３のいずれか１項に記載のスクリーン装置。
【考案の効果】
【００１５】
［１］の考案では、収納ケースと、収納ケースに対し回動自在に取り付けられたロールと、ロールに下辺が固定され、該ロールにロール状に巻き取られている収納状態から使用時に引き出されて張設されるスクリーンと、スクリーンの上辺に固定された棒状体と、使用時において前記スクリーンの後側に配置される、スクリーン支持用の支柱体と、を備え、棒状体は、支柱体の上端部に対し着脱自在に係止し得るものとなされ、収納ケースの長さ方向の中間部と、支柱体の長さ方向の一部とが、連結部を介して連結されると共に、収納ケースは、支柱体に対して平行な状態から垂直な状態への回転移動を可逆的に行い得るように構成されているから、スクリーンの張設操作を容易にかつ速やかに行うことができると共に、スクリーンの収納操作も容易にかつ速やかに行うことができる。また、使用しない時等には、収納ケースと支柱体とを両者の長さ方向を平行に揃えた状態に配置できるので、コンパクトに収納することができる。
【００１６】
更に、スクリーンの左側辺から延設された左側接続用突片であって、相互に離間して配置された複数の左側接続用突片と、スクリーンの右側辺から延設された右側接続用突片であって、相互に離間して配置された複数の右側接続用突片と、一端が前記棒状体の左側端部に連結され、他端がロールの左側端部に連結された左側線状体と、一端が棒状体の右側端部に連結され、他端が前記ロールの右側端部に連結された右側線状体と、を備え、左側線状体は、複数の左側接続用突片の先端部を介してスクリーンの左側辺と接続され、右側線状体は、複数の右側接続用突片の先端部を介してスクリーンの右側辺と接続された構成であるから、スクリーンをその側面から均一な張力を付与しつつ張設できて、スクリーンを波打つことなく皺もなく表面平坦性に優れた平面状に張設することができる。
【００１７】
［２］の考案によれば、使用時にスクリーンが張設された状態において、左側線状体が、棒状体側からロール側に向けて中間部において内方側に膨らむ（凸になる）略曲線状に張設されると共に、右側線状体も、棒状体側からロール側に向けて中間部において内方側に膨らむ（凸になる）略曲線状に張設されるように構成されているので、スクリーンをより一層表面平坦性に優れた平面状に張設することができる。
【００１８】
［３］の考案によれば、このような特定構成を採用することにより、使用時にスクリーンが張設された状態において、左側線状体が、棒状体側からロール側に向けて中間部において内方側に膨らむ（凸になる）略曲線状に張設されると共に、右側線状体も、棒状体側からロール側に向けて中間部において内方側に膨らむ（凸になる）略曲線状に張設されるものとなるので（図１参照）、スクリーンをより一層表面平坦性に優れた平面状に張設することができる。
【００１９】
［４］の考案では、支柱体に対する収納ケースの取付固定位置を調節できるので、スクリーンの張設高さを自在にかつ容易に調節することができる。
【図面の簡単な説明】
【００２０】
【図１】本考案に係るスクリーン装置の一実施形態をスクリーンを張設した状態で示す正面図である。
【図２】同じく張設状態のスクリーン装置を示す右側面図である。
【図３】スクリーンを収納した状態のスクリーン装置を示す斜視図である。
【図４】続いて三脚部の脚体を開いてスクリーン装置を立たせた状態を示す斜視図である。
【図５】続いて支柱体を上方に伸ばした状態のスクリーン装置を示す斜視図である。
【図６】続いて収納ケースを回転させて収納ケースを水平に支持した状態のスクリーン装置を示す斜視図である。
【図７】続いて収納ケースを下方に下げて収納ケースの高さ位置を調節した状態を示す斜視図である。
【図８】続いてスクリーンを収納ケース内から引き出して上方に引き上げてスクリーンの上部の係止体を支柱体の上部の吊支具の切欠部に係止してスクリーンを張設した状態のスクリーン装置を示す斜視図（図１の斜視図に相当する）である。
【図９】図１におけるＡ−Ａ線での断面図である。
【図１０】図２における上端部領域を拡大して示す拡大図である。
【図１１】（Ａ）は図２における支柱ストッパー及びその近傍を示す拡大断面図であり、（Ｂ）は支柱ストッパーの操作レバーを押し込んで、第２支柱が第１支柱に固定された固定状態を解除した状態を示す拡大断面図である。
【図１２】図２における三脚部を拡大して示す拡大図である。
【図１３】（Ａ）は図２における連結部及びその近傍を示す拡大断面図であり、（Ｂ）は連結部の操作レバーを押し下げて支柱体に対する連結部のロック固定状態を解除した状態を示す拡大断面図である。
【図１４】（Ａ）は収納時に操作レバーの操作部を押し込んでロック状態を解除して第２支柱を引き下げている状態を示す斜視図であり、（Ｂ）はさらに第２支柱を下げて吊支具の溝部に収納ケースの端部キャップの環状凸部の一部を当接させた状態を示す斜視図である。
【図１５】左側線状体が左側接続用突片の先端部の挿通用孔に挿通配置されて、左側線状体がスクリーンの左側辺と接続されている状態を示す斜視図である。
【図１６】連結部を示す斜視図である。
【図１７】図２におけるＢ−Ｂ線での断面図である（連結部及び三脚部の図示は省略した）。
【考案を実施するための形態】
【００２１】
本考案に係るスクリーン装置の一実施形態を図面に基づいて説明する。
【００２２】
図１は、本考案に係るスクリーン装置１の一実施形態をスクリーン２を張設した状態で示す正面図であり、図２は同右側面図である。
【００２３】
前記スクリーン装置１は、収納ケース２と、ロール３と、スクリーン４と、棒状体５と、支柱体６とを備えている。
【００２４】
前記収納ケース２は、金属や合成樹脂等で形成され、上面の少なくとも一部が開放された横長のケースである（図１、９参照）。前記収納ケース２内には、スクリーン４をその下辺４ｄ側からロール状に巻き取る巻き取り部としてのロール３が配置されている（図９参照）。前記ロール３は、前記収納ケース２に対し回動自在に取り付けられている。前記スクリーン４の下辺４ｄは、前記ロール３に固定されている。ロール３に付設されたスプリング（ばね部材）（図示しない）により、ロール３には、スクリーン４を下辺４ｄ側からロール３に巻き取る方向に回転する回転力が付与されている。即ち前記ロール３は、常にスクリーン４を巻き取ることのできる巻き取り力を備えたものとなっている。従って、前記スクリーン４には、ロール３により常に巻き取り方向への力がかけられている。しかして、前記収納ケース２内においてロール３に巻き取られた収容状態のスクリーン４に対して引き出し操作を行うことにより、前記巻き取り力に抗してロール３からスクリーン４が引き出されるようになっている。なお、図９において、６１は、ロール３を収納ケース２内で支持するための軸体である。
【００２５】
前記収納ケース２の長さ方向の両端部に端部キャップ１０が装着されている（図３〜８参照）。前記端部キャップ１０は、収納ケース２の長さ方向の外方に向けて突出する環状凸部１０ａを備えている。
【００２６】
前記スクリーン４は、張設された状態において正面視で略矩形状である（図１参照）。前記スクリーン４は、特に限定されるものではないが、通常、布地、樹脂シート等の可撓性材料で形成される。前記スクリーン４の上辺４ｃと棒状体（横桟）５とが接合されている。前記スクリーン４の上辺４ｃと前記棒状体５の長さ方向とが平行になる状態で接合されている（図１参照）。前記棒状体（横桟）５としては、例えば金属や合成樹脂等で形成された棒状体が使用される。
【００２７】
前記棒状体５の略中央部の上面に係止体２９が取り付けられている（図１、２、１０参照）。本実施形態では、前記棒状体５の略中央部に断面形状が略コの字状のコの字状金具２８が接合され、該コの字状金具２８に対して揺動可能な態様で係止体２９が取り付けられている。前記係止体２９は、前記支柱体６の上端部に対し前記棒状体５を着脱自在に係止するためのものである（図１０参照）。本実施形態では、前記係止体２９としてリング体が用いられている。
【００２８】
前記スクリーン４の左側辺４ａから複数個の左側接続用突片１１が設けられている。隣り合う左側接続用突片１１は、左側辺４ａに沿う方向において相互に離間して配置されている（図１、８参照）。前記左側接続用突片１１は、特に限定されるものではないが、布地、樹脂シート等の可撓性材料で形成されるのが好ましい。前記左側接続用突片１１の先端部には、左側辺４ａに略沿う方向に貫通する挿通用孔１２が設けられている（図１５参照）。
【００２９】
前記複数の左側接続用突片のうち、前記スクリーンの左側辺４ａの長さの二等分位置に存在する又は該二等分位置に最も近い左側接続用中央突片１１Ｘの長さ（左側辺４ａから突出している長さ）が最も短く設定されている。
【００３０】
前記左側接続用中央突片１１Ｘから前記棒状体５側に向けて順に間隔をおいて、左側接続用第１突片１１Ａ、左側接続用第２突片１１Ｂ、左側接続用第３突片１１Ｃ、左側接続用第４突片１１Ｄ、左側接続用第５突片１１Ｅが配置されている。これら左側接続用突片１１Ａ〜Ｅの長さ（左側辺４ａから突出している長さ）は、前記長さが最短の左側接続用中央突片１１Ｘからの離間距離が大きくなるにつれて漸次大きくなるように構成されている。即ち、左側接続用第１突片１１Ａの長さ＜左側接続用第２突片１１Ｂの長さ＜左側接続用第３突片１１Ｃの長さ＜左側接続用第４突片１１Ｄの長さ＜左側接続用第５突片１１Ｅの長さ、という関係が成立する（図１参照）。
【００３１】
前記左側接続用中央突片１１Ｘから前記ロール３側に向けて順に間隔をおいて、左側接続用第６突片１１Ｆ、左側接続用第７突片１１Ｇ、左側接続用第８突片１１Ｈ、左側接続用第９突片１１Ｊ、左側接続用第１０突片１１Ｋが配置されている。これら左側接続用突片１１Ｆ、１１Ｇ、１１Ｈ、１１Ｊ、１１Ｋの長さ（左側辺４ａから突出している長さ）は、前記長さが最短の左側接続用中央突片１１Ｘからの離間距離が大きくなるにつれて漸次大きくなるように構成されている。即ち、左側接続用第６突片１１Ｆの長さ＜左側接続用第７突片１１Ｇの長さ＜左側接続用第８突片１１Ｈの長さ＜左側接続用第９突片１１Ｊの長さ＜左側接続用第１０突片１１Ｋの長さ、という関係が成立する（図１参照）。
【００３２】
前記スクリーン４の右側辺４ｂから複数個の右側接続用突片１６が設けられている。隣り合う右側接続用突片１６は、右側辺４ｂに沿う方向において相互に離間して配置されている（図１、８参照）。前記右側接続用突片１６は、特に限定されるものではないが、布地、樹脂シート等の可撓性材料で形成されるのが好ましい。前記右側接続用突片１６の先端部には、右側辺４ｂに略沿う方向に貫通する挿通用孔（左側接続用突片１１に設けられた挿通用孔１２と同様のもの）が設けられている。
【００３３】
前記複数の右側接続用突片のうち、前記スクリーンの右側辺４ｂの長さの二等分位置に存在する又は該二等分位置に最も近い右側接続用中央突片１６Ｘの長さ（右側辺４ｂから突出している長さ）が最も短く設定されている。
【００３４】
前記右側接続用中央突片１６Ｘから前記棒状体５側に向けて順に間隔をおいて、右側接続用第１突片１６Ａ、右側接続用第２突片１６Ｂ、右側接続用第３突片１６Ｃ、右側接続用第４突片１６Ｄ、右側接続用第５突片１６Ｅが配置されている。これら右側接続用突片１６Ａ〜Ｅの長さ（右側辺４ｂから突出している長さ）は、前記長さが最短の右側接続用中央突片１６Ｘからの離間距離が大きくなるにつれて漸次大きくなるように構成されている。即ち、右側接続用第１突片１６Ａの長さ＜右側接続用第２突片１６Ｂの長さ＜右側接続用第３突片１６Ｃの長さ＜右側接続用第４突片１６Ｄの長さ＜右側接続用第５突片１６Ｅの長さ、という関係が成立する（図２参照）。
【００３５】
前記右側接続用中央突片１６Ｘから前記ロール３側に向けて順に間隔をおいて、右側接続用第６突片１６Ｆ、右側接続用第７突片１６Ｇ、右側接続用第８突片１６Ｈ、右側接続用第９突片１６Ｊ、右側接続用第１０突片１６Ｋが配置されている。これら右側接続用突片１６Ｆ、１６Ｇ、１６Ｈ、１６Ｊ、１６Ｋの長さ（右側辺４ｂから突出している長さ）は、前記長さが最短の右側接続用中央突片１６Ｘからの離間距離が大きくなるにつれて漸次大きくなるように構成されている。即ち、右側接続用第６突片１６Ｆの長さ＜右側接続用第７突片１６Ｇの長さ＜右側接続用第８突片１６Ｈの長さ＜右側接続用第９突片１６Ｊの長さ＜右側接続用第１０突片１６Ｋの長さ、という関係が成立する（図２参照）。
【００３６】
前記左側線状体７は、その一端が前記棒状体５の左側端部に連結され、前記左側線状体７の他端が前記ロール３の左側端部に連結されている。そして、前記左側線状体７は、前記全ての（１１個の）左側接続用突片１１の先端部に形成された挿通用孔１２に挿通配置されている（図１５参照）。しかして、使用時にスクリーン４が張設された状態において、左側線状体７が、上方側から下方側に向けて中間部において内方側（スクリーン側）に膨らむ（凸になる）略円弧状に張設される（図１参照）。前記ロール３にスクリーン４が巻き取られて収納される際には前記左側線状体７も前記ロール３の左側端部に巻き取られて（捲回されて）収納される。
【００３７】
前記右側線状体８は、その一端が前記棒状体５の右側端部に連結され、前記右側線状体８の他端が前記ロール３の右側端部に連結されている。そして、前記右側線状体８は、前記全ての（１１個の）右側接続用突片１６の先端部に形成された挿通用孔に挿通配置されている。しかして、使用時にスクリーン４が張設された状態において、右側線状体８が、上方側から下方側に向けて中間部において内方側（スクリーン側）に膨らむ（凸になる）略円弧状に張設される（図１参照）。前記ロール３にスクリーン４が巻き取られて収納される際には前記右側線状体８も前記ロール３の右側端部に巻き取られて（捲回されて）収納される。
【００３８】
前記左側線状体７および前記右側線状体８としては、特に限定されるものではないが、例えば、糸、紐状体、金属製線材等の可撓性線状体等が用いられる。
【００３９】
前記支柱体６は、使用時（スクリーン張設時）において前記スクリーン２の後側（背面側）に配置される（図２参照）。前記支柱体６は、使用時において張設されたスクリーン２を支持するための支柱である。
【００４０】
前記支柱体６は、パイプからなる第１支柱（外側支柱）２１と、該第１支柱の内部空間内に挿通配置可能なパイプからなる第２支柱（中支柱）２２とからなる。前記第１支柱２１の上端部には支柱ストッパー２６が設けられている。前記第１支柱２１内に少なくとも一部が挿通配置された第２支柱２２を前記支柱ストッパー２６により前記第１支柱２１に固定することができる。
【００４１】
前記支柱ストッパー２６は、ストッパー本体部２５と、操作レバー２７とを備えている（図１１、１７参照）。前記ストッパー本体部２５は、相互に離間して配置された左右一対の側板部２５ａと、該一対の側板部２５ａの前方側縁部同士を連接する前面板部２５ｂと、前記一対の側板部２５ａの上面側縁部の前方側の一部同士を連接する上面板部２５ｃとを備えてなる。
【００４２】
前記第１支柱２１の上端側の一部が、前記支柱ストッパー２６の左右一対の側板部２５ａの内面に接合されている。即ち、前記第１支柱２１の左側面の上端部と前記支柱ストッパー２６の左側の側板部２５ａの内面とが接合されると共に、前記第１支柱２１の右側面の上端部と前記支柱ストッパー２６の右側の側板部２５ａの内面とが接合されることによって、前記第１支柱２１の上端部に前記支柱ストッパー２６が接合固定されている（図１７参照）。
【００４３】
前記操作レバー２７は、略矩形状の背面板部２７Ｘと、該背面板部２７Ｘの左側縁部から前方側に延ばされた左側板部２７Ｙと、前記背面板部２７Ｘの右側縁部から前方側に延ばされた右側板部２７Ｚとを備えている（図１１、１７参照）。前記背面板部２７Ｘの下端側の一部で操作部２７ａが形成されている。また、前記左側板部２７Ｙの前方側縁部の上端でロック部２７ｂが形成され、前記右側板部２７Ｚの前方側縁部の上端でロック部２７ｂが形成されている（図１１、１７参照）。
【００４４】
前記操作レバー２７は、前記ストッパー本体部２５に取り付けられた枢軸６２によってストッパー本体部２５に枢着されている（図１１、１７参照）。即ち、前記ストッパー本体部２５の左右一対の側板部２５ａで挟まれた空間における後方側（背面側）の領域に、前記操作レバー２７が配置されると共に、並列配置された２個のばね部材６１の捲回部６１ｃ（の空洞）内に挿通配置された状態の枢軸６２が、その両端を前記操作レバー２７の左右両側板部２７Ｙ、２７Ｚの貫通孔にそれぞれ挿通されて前記支柱ストッパー２６の左右一対の側板部２５ａに接合固定されている（図１１、１７参照）。
【００４５】
前記ばね部材６１は、金属線体が複数回捲回されてなる捲回部６１ｃと、該捲回部６１ｃの一端から延ばされた一端側直線部６１ａと、前記捲回部６１ｃの他端から延ばされた他端側直線部６１ｂと、を備える（図１１、１７参照）。前記ばね部材６１の一端側直線部６１ａは、前記操作レバー２７の背面板部２７Ｘの内面に当接する一方、前記ばね部材６１の他端側直線部６１ｂは、第１支柱２１の外面に当接している（図１１、１７参照）。
【００４６】
しかして、図１１（Ａ）に示すように、支柱ストッパー２６の操作レバー２７の操作部２７ａを押していない状態時には、ばね部材６１の復帰力（反発力）により、操作レバー２７における枢軸６２より下端側の一部が、一端側直線部６１ａで外方に押されるので、枢軸６２を支点にして逆側のロック部２７ｂが第２支柱２２に接触して押し付けられ、これにより第２支柱２２が第１支柱２１に固定される。
【００４７】
一方、図１１（Ｂ）に示すように、支柱ストッパー２６の操作レバー２７の操作部２７ａを押し込むと、操作レバー２７の下端側が内方に（第１支柱２１側に）押されるので、枢軸６２を支点にして逆側のロック部２７ｂが第２支柱２２から離れ（当接状態が解除され）、これにより第２支柱２２が第１支柱２１に固定された固定状態を解除することができる。
【００４８】
前記第２支柱２２の上端部（即ち支柱体６の上端部）に吊支具２３が取り付けられている（図１０参照）。本実施形態では、前記吊支具２３として、吊り金具が用いられている。前記吊支具２３は、前記支柱体６の上端部から支柱体６の長さ方向に対し垂直な方向（即ち水平方向）に延ばされた突出部２４を有し、該突出部２４の上面に切欠部（切り込み）２４ａが形成されているとともに、突出部２４の下面に溝部２４ｂが形成されている（図１０参照）。前記吊支具２３の切欠部２４ａ内に前記係止体（リング体）２９の一部を係止することによって、張設状態のスクリーン４を前記支柱体６で支持することができる。
【００４９】
前記第１支柱２１の長さ方向の一部（支柱体６の長さ方向の一部）と、収納ケース２の長さ方向の略二等分中間位置とが、連結部３０を介して連結されている（図２、４、５参照）。前記連結部３０は、略枠形状（略フレーム形状）のハンドル部（本体部）３１と、該ハンドル部の上端部に取り付けられた操作レバー３２とを備えてなる（図９参照）。前記ハンドル部３１を構成する上側水平板及び下側水平板には、第１支柱２１（支柱体６）を挿通配置するための挿通用孔３３が穿設されており、ハンドル部３１の上下の挿通用孔３３に第１支柱２１（支柱体６）が挿通配置されている（図９、１３、１６参照）。
【００５０】
前記操作レバー３２は、平面視略矩形状の板状体からなる（図１６参照）。前記操作レバー３２は、その長さ方向（前後方向）の略二等分位置より後方側の位置にばね部材３４の一端が接合され、該ばね部材３４の他端が、前記ハンドル部３１を構成する上側水平板に接合されている（図１３、１６参照）。前記操作レバー３２の前方側に矩形状の挿通用孔３２ｃが穿設されている（図１３、１６参照）。前記操作レバー３２の前方側縁部は、図１３、１６に示すように、前記連結部３０の上側水平板の左右両縁部から上方に延ばされた立設板７１の前方側端部において両立設板７１に掛け渡されて固定された支点ピン３５の下に潜り込むように配置されている。前記支点ピン３５は、第１支柱２１より前方側に配置されている（図１３参照）。
【００５１】
しかして、図１３（Ａ）に示すように、操作レバー３２の操作部３２ａを押していない状態時には、ばね部材３４の復帰力（反発力）により、操作レバー３２の後方側が上方に持ち上げられる一方、操作レバー３２の前方側縁部は前記支点ピン３５の存在により上方移動が規制されるので、操作レバー３２は傾斜が大きく付いた状態になる。この時、操作レバー３２の挿通用孔３２ｃを形成する前方側のロック部３２ｂ及び後方側のロック部３２ｂの両方が、第１支柱２１を挟み込み状態に当接するので、これにより第１支柱２１（支柱体６）に対して連結部３０がロック固定される。
【００５２】
一方、図１３（Ｂ）に示すように、ばね部材３４の復帰力（反発力）に抗して、操作レバー３２の操作部３２ａを下方に押し込むと、操作レバー３２の前方側縁部は支点ピン３５の存在により上方移動が規制されるので、操作レバー３２は傾斜の小さい略水平状態になる。この時、操作レバー３２の挿通用孔３２ｃを形成する前方側のロック部３２ｂ及び後方側のロック部３２ｂのうち少なくともいずれか一方が、第１支柱２１に対して非接触状態（非当接状態）になり（隙間が生じ）、これにより第１支柱２１（支柱体６）に対する連結部３０の固定状態を解除することができる。
【００５３】
前記連結部３０のハンドル部（本体部）３１の一方の垂直板に取付用部材３７が接合固定されている（図９参照）。一方、前記収納ケース２の長さ方向の略二等分中間位置において、断面形状が略Ｌ字形状のケース支持用Ｌ字部材３８が、該収納ケース２の下面及び一方の側面に当接する態様で固定されている。前記ケース支持用Ｌ字部材３８の水平板３８ａと前記収納ケース２の底板部とが互いにボルト３９Ａとナット３９Ｂを用いて接合固定されている（図９参照）。
【００５４】
前記第１支柱２１（支柱体６）に取り付けられている連結部３０の取付用部材３７に、前記収納ケース２に固定されているケース支持用Ｌ字部材３８の垂直板３８ｂが当接状態に配置されると共に、取付用部材３７、垂直板３８ｂ及び収納ケース２の側壁を貫通する貫通孔に、膨隆頭部を備えた枢軸ねじ３６Ａが挿通され、該枢軸ねじ３６Ａの先端のみに形成されたねじ山にナット３６Ｂが螺合締付されることによって、前記収納ケース２が、前記支柱体６に対して平行な状態から垂直な状態（直交する状態）への回転移動を可逆的に行うことができるものとなされている（図９参照）。即ち、前記収納ケース２が、前記支柱体６に対して枢着されている。
【００５５】
前記第１支柱２１の下端部（即ち支柱体６の下端部）に三脚部４０が取り付けられている（図１、２参照）。前記三脚部４０は、第１取付部５１と、第２取付部５６と、３本の脚体４１と、３本の補助脚４２とを備える（図１２参照）。
【００５６】
前記第２取付部５６は、短筒体５７の下端部に３個の取付用凸部５８が突設されてなる（図１２参照）。前記３個の取付用凸部５８は、短筒体５７の周方向に沿って等間隔で配置されている。前記第２取付部５６は、前記支柱体６の下端部に固定されている。即ち、前記第２取付部５６の短筒体５７の内部空間に前記支柱体６の下端部が挿通されて該下端部と短筒体５７とが固定されている。
【００５７】
前記第１取付部５１は、短筒体５２の外周面に３個の取付用凸部５３が突設されてなる（図１２参照）。前記３個の取付用凸部５３は、短筒体５２の周方向に沿って等間隔で配置されている。前記第１取付部５１の短筒体５２の内部空間に前記支柱体６（第１支柱２１）が挿通配置されている。
【００５８】
前記第１取付部５１の各取付用凸部５３の内部にそれぞれ各脚体４１の一端部が配置されて、枢軸５４によって各脚体４１の一端部が各取付用凸部５３に枢着されている（図１２参照）。
【００５９】
また、前記各補助脚４２の一端部の内部にそれぞれ前記第２取付部５６の各取付用凸部５８が配置されて、枢軸５９によって各補助脚４２の一端部が各取付用凸部５８に枢着されている（図１２参照）。
【００６０】
前記各脚体４１の長さ方向の中央部の内部にそれぞれ前記各補助脚４２の他端部が配置されて、枢軸４４によって各補助脚４２の他端部が各脚体４１の中央部に枢着されている（図１２参照）。
【００６１】
前記第１取付部５１の短筒体５２の外周面にネジ孔が穿設されており、該ネジ孔に三脚開閉用ネジ４３が螺合されている（図１２参照）。この三脚開閉用ネジ４３を螺合して締め付けることにより、ネジ４３の先端を支柱体６の外周面に強く押し当てることができて、前記支柱体６に対して前記第１取付部５１を固定することができる。また、三脚開閉用ネジ４３の螺合締め付けを緩めることにより、前記支柱体６に対して前記第１取付部５１を該支柱体６の長さ方向に移動させることが可能となる。例えば、各脚体４１が折り畳まれた収納状態において、三脚開閉用ネジ４３の螺合締め付けを緩めて、第１取付部５１を支柱体６の下端の第２取付部５６に向けて移動させることにより、三脚部４０の各脚体４１を開脚させることができ、この状態で三脚開閉用ネジ４３を螺合締め付けすることにより、三脚部４０の開脚状態を保持することができる。また、この開脚状態において、三脚開閉用ネジ４３の螺合締め付けを緩めて、第１取付部５１を支柱体６の上端に向けて移動させることにより、三脚部４０の各脚体４１を閉じることができ、この閉じた状態で三脚開閉用ネジ４３を螺合締め付けすることにより、三脚部４０の閉脚収納状態を保持することができる。
【００６２】
次に、上記スクリーン装置１の使用手順について説明する。この使用手順は、その一例を示すものに過ぎず、本考案は、特にこのような手順で行うものに限定されるものではない。
【００６３】
スクリーン装置１を使用する際には、図３のように床に寝かせて載置してあるスクリーン装置１を持ち上げ、三脚開閉用ネジ４３の螺合締め付けを緩めた後、三脚部４０の脚体４１を手で持って広げて開脚させる。次いで、開脚した三脚部４０を図４に示すように床に立たせた状態にして三脚開閉用ネジ４３の螺合締め付けを行う。こうして、支柱体６の下部で安定状態に開脚した三脚部４０により支柱体６及び収納ケース２等を安定状態に支持することができる（立設させることができる）（図４参照）。
【００６４】
次いで、支柱ストッパー２６の操作レバー２７の操作部２７ａを手で押すことによって（図４参照）、第１支柱２１に対する第２支柱２２の固定状態を解除し（図１１（Ｂ）参照）、該第２支柱２２を上方に向けて引き上げる（図５参照）。所望の高さまで第２支柱２２を上方に向けて手で引き上げた後、操作部２７ａを押している状態を解除することによって、再び第１支柱２１に対して第２支柱２２を固定させる（図１１（Ａ）参照）。こうして、保管状態の時よりも長く延伸された支柱体６を構成することができる（図５参照）。
【００６５】
しかる後、上下方向に沿って立っている状態の収納ケース２を正面視において時計回りに約９０度回転させる（正面視において約９０度右回転させる）ことによって、収納ケース２を水平に支持された状態にする（収納ケース２の長さ方向が水平方向と平行になるように配置する）（図６参照）。
【００６６】
次に、連結部３０のハンドル３１を手で握りつつ操作レバー３２の操作部３２ａを指で押すことによって、支柱体６に対する連結部３０の固定状態を解除し（図１３（Ｂ）参照）、手で連結部３０を引き下げることによって収納ケース２を水平状態のままで下方に引き下げて、収納ケース２の高さ位置を調節する（図７参照）。このようにして収納ケース２の高さ調節を行った後、操作部３２ａを押している状態を解除することによって、操作レバー３２の前後一対のロック部３２ｂを第１支柱２１（支柱体６）に当接せしめ、再び支柱体６に対して連結部３０を固定し（図１３（Ａ）参照）、これにより、支柱体６に対して、水平状態の収納ケース２を固定せしめる（図７参照）。
【００６７】
次いで、収納ケース２内でロール３に巻き取られて収納されているスクリーン４を引き出して上方に引き上げ（図８参照）、スクリーン４の上辺４ｃに固定された棒状体５の中央部に設けられている係止体（リング）２９の一部を、支柱体６の上端部の吊支具２３の切欠部２４ａに引っ掛けて係止することによって、スクリーン４を張設する（図１、２、８参照）。この時、スクリーン４の下辺４ｄにはロール３に巻き取られる巻き取り力が常に付与されているので、十分に張った状態にスクリーン４を張設することができる。
【００６８】
更に、図１、８に示すように、左側線状体７は、複数の左側接続用突片１１の先端部を介してスクリーン４の左側辺４ａと接続され（図１５参照）、右側線状体８は、複数の右側接続用突片１６の先端部を介してスクリーン４の右側辺４ｂと接続された構成であるから、スクリーン４をその側面から均一な張力を付与しつつ張設できて、スクリーン４を波打つことなく皺もなく表面平坦性に優れた平面状に張設することができる。
【００６９】
次に、スクリーン装置１の収納手順について説明する。この収納手順は、その一例を示すものに過ぎず、本考案は、特にこのような手順で収納を行うものに限定されるものではない。
【００７０】
一方の手で第２支柱２２を持ちながら、支柱ストッパー２６の操作レバー２７の操作部２７ａを他方の手で押すことによって、第１支柱２１に対する第２支柱２２の固定状態を解除し（図１１（Ｂ）参照）、該第２支柱２２を下方に向けて手で引き下げる。この時、スクリーン４の下辺４ｄに対してロール３から巻き取り力（ロールに巻き取る巻き取り力）が常に負荷されている（常にかけられている）ので、第２支柱２２の下降に合わせてスクリーン４がロール３に巻き取られていく。所望の高さまで第２支柱２２を引き下げた後、操作部２７ａを押している状態を解除することによって、再び第１支柱２１に対して第２支柱２２を固定させる（図１１（Ａ）参照）。
【００７１】
次に、連結部３０の操作レバー３２の操作部３２ａを押すことによって、支柱体６に対する連結部３０の固定状態を解除し（図１３（Ｂ）参照）、収納ケース２を水平状態のままで上方に引き上げて、収納ケース２の高さ位置を調節する。このようにして収納ケース２の高さ調節を行った後、操作部３２ａを押している状態を解除することによって、再び支柱体６に対して連結部３０を固定させる（図１３（Ａ）参照）、即ち支柱体６に対して、水平状態の収納ケース２を固定せしめる。このような収納ケース２の高さ位置調節を行うのは、本実施形態では、該高さ位置調節を行わなかった場合、次工程で収納ケース２を水平状態から回転させた時に収納ケース２の端部が床面に接触して、収納ケース２を上下方向に沿って立っている状態にまで戻すことができないからである。
【００７２】
次に、棒状体５の中央部に設けられている係止体（リング）２９の、支柱体６の上端部の吊支具２３の切欠部２４ａへの係止状態を解除する、即ち係止体（リング）２９を吊支具２３の切欠部２４ａから離脱させる。この時、スクリーン４の下辺４ｄに対してロール３から巻き取り力（ロールに巻き取る巻き取り力）が常に負荷されている（常にかけられている）ので、スクリーン４がスムーズにロール３に巻き取られて収納ケース２内に収納される（図６参照）。
【００７３】
しかる後、水平に支持された状態の収納ケース２を正面視において反時計回りに約９０度回転させることによって、収納ケース２を上下方向に沿って立っている状態にする（収納ケース２の長さ方向が、支柱体６の長さ方向と平行になるように配置する）（図５参照）。
【００７４】
次に、支柱ストッパー２６の操作レバー２７の操作部２７ａを押すことによって、第１支柱２１に対する第２支柱２２の固定状態を解除し、該第２支柱２２を下方に向けて手で引き下げ（図１４（Ａ）参照）、前記吊支具２３の溝部２４ｂの底面に端部キャップ１０の環状凸部１０ａの周方向の一部が接触するまで第２支柱２２を下方に向けて引き下げる（図１４（Ｂ）参照）。操作部２７ａを押している状態を解除することによって、再び第１支柱２１に対して第２支柱２２を固定する。このようにして前記吊支具２３を端部キャップ１０に係合させることにより、収納ケース２を支持体６に対して平行状に配置した状態で、収納ケース２を支持体６に固定できる（図４参照）。
【００７５】
しかる後、三脚開閉用ネジ４３の螺合締め付けを緩め、三脚部４０の脚体４１を折り畳む。３つの脚体４１が平行状になるまで折り畳んだ後、三脚開閉用ネジ４３の螺合締め付けを行って、三脚部４０の脚体４１が開かないようにする。こうして収納状態となされたスクリーン装置１を床に寝かせて保管する（図３参照）。使用しない時はこのようにコンパクトに収納した状態で保管できる。
【産業上の利用可能性】
【００７６】
本考案に係るスクリーン装置は、使用時にスクリーンが収納ケースから引き出されて張設され、この張設されたスクリーンに、例えば、各種映写機器（スライド映写機、フィルム映写機、ビデオ映写機、液晶プロジェクタ、ＯＨＰ等）の映像が映写される。
【符号の説明】
【００７７】
１…スクリーン装置
２…収納ケース
３…ロール
４…スクリーン
４ａ…左側辺
４ｂ…右側辺
４ｃ…上辺
４ｄ…下辺
５…棒状体（横桟）
６…支柱体
７…左側線状体
８…右側線状体
１１…左側接続用突片
１１Ｘ…長さが最短の左側接続用突片
１６…右側接続用突片
１６Ｘ…長さが最短の右側接続用突片
３０…連結部
３１…ハンドル部
３２…操作レバー
３２ａ…操作部
３２ｂ…ロック部
【図１】
0003183132.tif 000003
【図２】
0003183132.tif 000004
【図３】
0003183132.tif 000005
【図４】
0003183132.tif 000006
【図５】
0003183132.tif 000007
【図６】
0003183132.tif 000008
【図７】
0003183132.tif 000009
【図８】
0003183132.tif 000010
【図９】
0003183132.tif 000011
【図１０】
0003183132.tif 000012
【図１１】
0003183132.tif 000013
【図１２】
0003183132.tif 000014
【図１３】
0003183132.tif 000015
【図１４】
0003183132.tif 000016
【図１５】
0003183132.tif 000017
【図１６】
0003183132.tif 000018
【図１７】
0003183132.tif 000019